(57)【要約】【課題】被測定者の１日における単位時間毎の活動量に関する情報を、表示画面に直感的に分かり易く表示できる活動量関連情報表示装置を提供すること。【解決手段】被測定者の運動強度、活動量または消費カロリを表す値情報を取得する。表示画面７０上に、１日に対応する円７４を設定するとともに、この円７４の周りで時計回りに１日における単位時間の経過を表す時間目盛７５を設定する。値情報を、円７４の周りで径方向外向きに延び、かつ単位時間毎に値情報が表す値に応じた複数段階の長さをもつ棒７６の集合からなるグラフ７３として表示する。【選択図】図５
2015123228.tif 000002
【特許請求の範囲】
【請求項１】
被測定者の活動量に関する情報をグラフとして表示画面に表示する活動量関連情報表示装置であって、
上記被測定者の運動強度、活動量または消費カロリを表す値情報を取得する値情報取得部と、
上記表示画面上に、１日に対応する円または円弧を設定するとともに、上記円または円弧の周りで時計回りに上記１日における単位時間の経過を表す時間目盛を設定し、上記値情報を、上記円または円弧の周りで径方向外向きに延び、かつ上記単位時間毎に上記値情報が表す値に応じた複数段階の長さをもつ棒の集合からなるグラフとして表示する第１の表示処理部と
を備えたことを特徴とする活動量関連情報表示装置。
【請求項２】
請求項１に記載の活動量関連情報表示装置において、
上記第１の表示処理部は、上記径方向に関して上記棒を上記段階毎のセグメントに区分し、それらのセグメントに上記段階が高くなるにつれて色温度が高い色を付すことを特徴とする活動量関連情報表示装置。
【請求項３】
請求項１または２に記載の活動量関連情報表示装置において、
上記第１の表示処理部は、上記表示画面上で、前日のグラフを灰色化して背景グラフとし、この背景グラフの上に重ねて、本日のグラフを上記背景グラフの灰色とは異なる色で上書きして表示することを特徴とする活動量関連情報表示装置。
【請求項４】
請求項１から３までのいずれか一つに記載の活動量関連情報表示装置において、
対象期間としての上記１日よりも前の過去の期間についての上記被測定者の運動強度、活動量または消費カロリの実績値を取得して、その実績値に基づいて、上記被測定者の上記１日についての運動強度、活動量または消費カロリの目標値を設定する目標値設定部と、
上記値情報に基づいて、上記１日についての上記被測定者の運動強度、活動量または消費カロリの上記目標値に対する達成度を算出して取得する達成度取得部と、
上記表示画面に上記達成度を数値で表示するデジタル表示処理部とを備えたことを特徴とする活動量関連情報表示装置。
【請求項５】
被測定者の活動量に関する情報をグラフとして表示画面に表示する活動量関連情報表示装置であって、
上記被測定者の或る対象期間にわたる運動強度、活動量または消費カロリの目標値に対する達成度を取得する達成度取得部と、
上記表示画面上に、上記対象期間について、暗色の円と、上記円の周りを環状に取り囲む白色または昼光色の環状領域と、この環状領域の周りを取り囲む暗色の背景領域とを設定し、上記達成度を、この達成度に応じて上記環状領域の径方向寸法を可変して表す第２の表示処理部とを備え、
上記環状領域の明度は、径方向外向きに向かって次第に低下して、上記背景領域の明度に連続的に連なることを特徴とする活動量関連情報表示装置。
【請求項６】
請求項５に記載の活動量関連情報表示装置において、
上記環状領域を表すべき、上記径方向寸法が異なる複数の候補画像を記憶する画像記憶部と、
上記複数の候補画像のうち上記対象期間の上記達成度に応じた径方向寸法をもつ候補画像を選択する画像選択部を備えたことを特徴とする活動量関連情報表示装置。
【請求項７】
請求項５または６に記載の活動量関連情報表示装置において、
上記対象期間よりも前の過去の期間についての上記被測定者の運動強度、活動量または消費カロリの実績値を取得して、その実績値に基づいて、上記被測定者の上記対象期間についての上記目標値を設定する目標値設定部を備えたことを特徴とする活動量関連情報表示装置。
【発明の詳細な説明】
【技術分野】
【０００１】
この発明は活動量関連情報表示装置に関し、より詳しくは、被測定者の活動量に関する情報をグラフ化して表示画面に表示する活動量関連情報表示装置に関する。
【０００２】
本明細書で、「活動量に関する情報」とは、少なくとも、
ｉ）  運動強度（単位［ＭＥＴｓ］。METabolic equivalentsの略であり、安静時に対して運動の強さが何倍に相当するかを表す量である。）、
ii）  活動量（単位［Ｅｘ］。運動強度［ＭＥＴｓ］にその運動を行った時間（単位［ｈ］；hour）を乗じた量。すなわち、［Ｅｘ］＝［ＭＥＴｓ・ｈ］となる。）、
iii)  消費カロリ（単位［ｋｃａｌ］。活動量［Ｅｘ］に生体の体重［ｋｇ］を乗じたもの。すなわち、消費カロリ［ｋｃａｌ］＝活動量［Ｅｘ］×体重［ｋｇ］となる。）、
iv）  上記ｉ）〜iii）の値の目標値（これを適宜「活動量関連の目標値」と総称する。）に対する達成度
を含むものとする。
【背景技術】
【０００３】
従来、この種の活動量関連情報表示装置としては、例えば非特許文献１（パナソニック株式会社、“活動量計 EW-NK63 商品特長”、インターネット＜ URL ： http://panasonic.jp/calorimeter/daycalorie/ew_nk63/recommend/ ＞）に示すように、日・週・月などの時間軸を横軸とし、消費カロリ（単位［ｋｃａｌ］）を縦軸とし、スマートフォンの表示画面に、被測定者の例えば１週間にわたって１日毎の消費カロリを棒グラフとして表示するものがある。
【先行技術文献】
【非特許文献】
【０００４】
【非特許文献１】パナソニック株式会社、“活動量計 EW-NK63 商品特長”、［online］、［平成２５年１１月２５日検索］、インターネット＜ URL ： http://panasonic.jp/calorimeter/daycalorie/ew_nk63/recommend/ ＞
【発明の概要】
【発明が解決しようとする課題】
【０００５】
しかしながら、上記従来の表示の仕方では、被測定者の１日における単位時間毎の活動量に関する情報が、ユーザ（被測定者を含む。以下同様。）にとって直感的に分かりにくいという問題がある。また、被測定者の活動量関連の目標値に対する達成度が、ユーザにとって直感的に分かりにくいという問題がある。
【０００６】
そこで、この発明の課題は、被測定者の１日における単位時間毎の活動量に関する情報を、表示画面に直感的に分かり易く表示できる活動量関連情報表示装置を提供することにある。また、被測定者の活動量関連の目標値に対する達成度を、表示画面に直感的に分かり易く表示できる活動量関連情報表示装置を提供することにある。
【課題を解決するための手段】
【０００７】
上記課題を解決するため、この発明の活動量関連情報表示装置は、
被測定者の活動量に関する情報をグラフとして表示画面に表示する活動量関連情報表示装置であって、
上記被測定者の運動強度、活動量または消費カロリを表す値情報を取得する値情報取得部と、
上記表示画面上に、１日に対応する円または円弧を設定するとともに、上記円または円弧の周りで時計回りに上記１日における単位時間の経過を表す時間目盛を設定し、上記値情報を、上記円または円弧の周りで径方向外向きに延び、かつ上記単位時間毎に上記値情報が表す値に応じた複数段階の長さをもつ棒の集合からなるグラフとして表示する第１の表示処理部と
を備えたことを特徴とする。
【０００８】
この発明の活動量関連情報表示装置では、値情報取得部が、被測定者の運動強度、活動量または消費カロリを表す値情報を取得する。第１の表示処理部は、上記表示画面上に、１日に対応する円または円弧を設定するとともに、上記円または円弧の周りで時計回りに上記１日における単位時間の経過を表す時間目盛を設定し、上記値情報を、上記円または円弧の周りで径方向外向きに延び、かつ上記単位時間毎に上記値情報が表す値に応じた複数段階の長さをもつ棒の集合からなるグラフとして表示する。例えば、或る単位時間について被測定者が弱い運動をした結果、上記値情報が表す値が小さければ、短い棒が表示される。一方、別の単位時間について被測定者が強い運動をした結果、上記値情報が表す値が大きければ、長い棒が表示される。これにより、ユーザは、被測定者の１日における単位時間毎の活動量に関する情報として、単位時間毎の運動強度、活動量または消費カロリを直感的に知ることができる。
【０００９】
特に、上記表示画面上に、上記第１の表示処理部が１日に対応する円（円弧ではなく）を設定すれば、上記時間目盛はアナログ式２４時間時計の目盛のように見える。したがって、ユーザは、上記表示画面上に表示された上記活動量に関する情報が、１日分の情報であることを直感的に知ることができる。
【００１０】
一実施形態の活動量関連情報表示装置では、上記第１の表示処理部は、上記径方向に関して上記棒を上記段階毎のセグメントに区分し、それらのセグメントに上記段階が高くなるにつれて色温度が高い色を付すことを特徴とする。
【００１１】
この一実施形態の活動量関連情報表示装置では、上記第１の表示処理部は、上記径方向に関して上記棒を上記段階毎のセグメントに区分し、それらのセグメントに上記段階が高くなるにつれて色温度が高い色を付す。すなわち、或る単位時間について被測定者が弱い運動をした結果、上記値情報が表す値が小さければ、上記棒の長さが短く、セグメント数が少なくなるととともに、セグメントに付される色温度は低いもののみとなる。一方、別の単位時間について被測定者が強い運動をした結果、上記値情報が表す値が大きければ、上記棒の長さが長く、セグメント数が多くなるととともに、高い段階のセグメントに色温度が高い色が付される。この「色温度」は、ユーザに被測定者の運動強度や運動によるエネルギ消費の程度を連想させる。したがって、ユーザは、上記被測定者の単位時間毎の運動強度、活動量または消費カロリをさらに直感的に知ることができる。
【００１２】
上記複数の段階のセグメントのうち最も低い第１段階のセグメント、またはその第１段階のセグメントとその次の第２段階のセグメントについては、緑色を付してもよい。緑色は、運動強度、活動量または消費カロリが比較的少なく落ち着いた状態を連想させるからである。その場合、緑色を付したセグメントよりも高い段階のセグメントのみに、上記段階が高くなるにつれて色温度が高い色を付してもよい。
【００１３】
一実施形態の活動量関連情報表示装置では、上記第１の表示処理部は、上記表示画面上で、前日のグラフを灰色化して背景グラフとし、この背景グラフの上に重ねて、本日のグラフを上記背景グラフの灰色とは異なる色で上書きして表示することを特徴とする。
【００１４】
この一実施形態の活動量関連情報表示装置では、上記第１の表示処理部は、上記表示画面上で、前日のグラフを灰色化して背景グラフとし、この背景グラフの上に重ねて、本日のグラフを上記背景グラフの灰色とは異なる色で上書きして表示する。この結果、被測定者の前日の単位時間毎の運動強度、活動量または消費カロリに対して本日の単位時間毎の運動強度、活動量または消費カロリが小さいとき、本日のグラフの径方向外側に灰色の背景グラフが露出する状態になる。したがって、ユーザは、被測定者の前日の単位時間毎の運動強度、活動量または消費カロリに対して本日の単位時間毎の運動強度、活動量または消費カロリが小さいことを直感的に知ることができる。
【００１５】
一実施形態の活動量関連情報表示装置では、
対象期間としての上記１日よりも前の過去の期間についての上記被測定者の運動強度、活動量または消費カロリの実績値を取得して、その実績値に基づいて、上記被測定者の上記１日についての運動強度、活動量または消費カロリの目標値を設定する目標値設定部と、
上記値情報に基づいて、上記１日についての上記被測定者の運動強度、活動量または消費カロリの上記目標値に対する達成度を算出して取得する達成度取得部と、
上記表示画面に上記達成度を数値で表示するデジタル表示処理部とを備えたことを特徴とする。
【００１６】
本明細書で、過去の期間の「実績値に基づいて」とは、上記過去の期間の実績値に対して演算を行って上記目標値を算出する場合を含む。例えば、上記過去の期間の長さと上記対象期間の長さとが異なる場合は、上記過去の期間の実績値を日数で換算して、上記対象期間の長さに応じて上記対象期間の目標値を算出してもよい。上記過去の期間の長さと上記対象期間と長さとが等しい場合は、上記対象期間の目標値を、上記過去の期間の実績値に等しく設定してもよい。
【００１７】
この一実施形態の活動量関連情報表示装置では、目標値設定部が、対象期間としての上記１日よりも前の過去の期間についての上記被測定者の運動強度、活動量または消費カロリの実績値を取得して、その実績値に基づいて、上記被測定者の上記１日についての運動強度、活動量または消費カロリの目標値を設定する。達成度取得部は、上記値情報に基づいて、上記１日についての上記被測定者の運動強度、活動量または消費カロリの上記目標値に対する達成度を算出して取得する。デジタル表示処理部は、上記表示画面に上記達成度を数値で表示する。この結果、ユーザは、上記数値を見ることで、上記過去の期間の実績値に基づく上記目標値に対する上記１日の達成度を、正確に知ることができる。
【００１８】
別の局面では、この発明の活動量関連情報表示装置は、
被測定者の活動量に関する情報をグラフとして表示画面に表示する活動量関連情報表示装置であって、
上記被測定者の或る対象期間にわたる運動強度、活動量または消費カロリの目標値に対する達成度を取得する達成度取得部と、
上記表示画面上に、上記対象期間について、暗色の円と、上記円の周りを環状に取り囲む白色または昼光色の環状領域と、この環状領域の周りを取り囲む暗色の背景領域とを設定し、上記達成度を、この達成度に応じて上記環状領域の径方向寸法を可変して表す第２の表示処理部とを備え、
上記環状領域の明度は、径方向外向きに向かって次第に低下して、上記背景領域の明度に連続的に連なることを特徴とする。
【００１９】
本明細書で、上記円および上記背景領域の「暗色」とは、上記環状領域の「白色または昼光色」よりも明度が低い色を意味する。
【００２０】
この発明の活動量関連情報表示装置では、達成度取得部が、被測定者の或る対象期間にわたる運動強度、活動量または消費カロリの目標値（活動量関連の目標値）に対する達成度を取得する。第２の表示処理部は、上記表示画面上に、上記対象期間について、暗色の円と、上記円の周りを環状に取り囲む白色または昼光色の環状領域と、この環状領域の周りの暗色の背景領域とを設定し、上記達成度を、この達成度に応じて上記環状領域の径方向寸法を可変して表す。例えば、或る対象期間について上記達成度が小さければ、上記環状領域の径方向寸法は小さくなる。別の対象期間について上記達成度が大きければ、上記環状領域の径方向寸法は大きくなる。しかも、上記環状領域の明度は、径方向外向きに向かって次第に低下して、上記背景領域の明度に連続的に連なる。したがって、上記表示画面上に表示される環状領域は、太陽コロナのように見える。すなわち、或る対象期間について被測定者が弱い運動をした結果、上記達成度が小さければ、太陽が弱く燃えているように見える。別の対象期間について被測定者が強い運動をした結果、上記達成度が大きければ、太陽が強く燃えているように見える。この太陽の燃え方の強弱は、ユーザに被測定者の運動強度や運動によるエネルギ消費の程度を連想させる。これにより、ユーザは、被測定者の活動量関連の目標値に対する達成度を、直感的に知ることができる。
【００２１】
上記達成度に応じた「径方向寸法」は、上記円の周りの全体として上記達成度に応じていれば足りる。言い換えれば、上記環状領域の「径方向寸法」は、上記円の周りに関して揺らぎを有していてもよい。このような揺らぎを有する場合、上記表示画面上に表示される環状領域は、さらに太陽コロナであるかのように見える。
【００２２】
なお、達成度取得部は、上記被測定者の上記対象期間にわたる運動強度、活動量または消費カロリを入力し、その入力した運動強度、活動量または消費カロリを目標値で除算して、上記達成度を算出して取得してもよい。
【００２３】
一実施形態の活動量関連情報表示装置では、
上記環状領域を表すべき、上記径方向寸法が異なる複数の候補画像を記憶する画像記憶部と、
上記複数の候補画像のうち上記対象期間の上記達成度に応じた径方向寸法をもつ候補画像を選択する画像選択部を備えたことを特徴とする。
【００２４】
この一実施形態の活動量関連情報表示装置では、画像記憶部が、上記環状領域を表すべき、上記径方向寸法が異なる複数の候補画像を記憶している。画像選択部は、上記複数の候補画像のうち上記対象期間の上記達成度に応じた径方向寸法をもつ候補画像を選択する。したがって、上記表示画面上に上記環状領域を含む画像を簡単に表示することができる。
【００２５】
一実施形態の活動量関連情報表示装置では、上記対象期間よりも前の過去の期間についての上記被測定者の運動強度、活動量または消費カロリの実績値を取得して、その実績値に基づいて、上記被測定者の上記対象期間についての上記目標値を設定する目標値設定部を備えたことを特徴とする。
【００２６】
この一実施形態の活動量関連情報表示装置では、目標値設定部が、上記対象期間よりも前の過去の期間についての上記被測定者の運動強度、活動量または消費カロリの実績値を取得して、その実績値に基づいて、上記被測定者の上記対象期間についての上記目標値を設定する。この結果、ユーザは、上記表示画面上に表示される環状領域を見ることで、上記過去の期間の実績値に基づく上記目標値に対する上記対象期間の達成度を、直感的に知ることができる。
【発明の効果】
【００２７】
以上より明らかなように、この発明の活動量関連情報表示装置によれば、被測定者の１日における単位時間毎の活動量に関する情報を、表示画面に直感的に分かり易く表示できる。また、この発明の活動量関連情報表示装置によれば、被測定者の活動量関連の目標値に対する達成度を、表示画面に直感的に分かり易く表示できる。
【図面の簡単な説明】
【００２８】
【図１】この発明の一実施形態の活動量関連情報表示装置のシステム構成を示す図である。
【図２】上記システムをなす活動量計のブロック構成を示す図である。
【図３】上記システムをなすスマートフォンのブロック構成を示す図である。
【図４】被測定者が活動量計を装着して歩く態様を示す図である。
【図５】「１日における単位時間毎の運動強度」モードで上記スマートフォンの表示画面に表示される画像を例示する図である。
【図６】「１日における単位時間毎の運動強度」モードで上記スマートフォンの表示画面に表示される別の画像を例示する図である。
【図７】図５、図６中のグラフの表示の意味を説明する図である。
【図８】図８（Ａ），（Ｂ）は、それぞれ「１週間における活動量の達成度」モードで上記スマートフォンの表示画面に表示される画像を例示する図である。
【図９】図９（Ａ），（Ｂ）は、それぞれ「１週間における活動量の達成度」モードで上記スマートフォンの表示画面に表示される別の画像を例示する図である。
【図１０】図８ないし図９の画像を模式的に説明する図である。
【図１１】図８ないし図９の画像を表示するための上記スマートフォンの制御部による処理フローを示す図である。
【発明を実施するための形態】
【００２９】
以下、この発明の実施の形態を、図面を参照しながら詳細に説明する。
【００３０】
図１は、この発明の一実施形態の活動量関連情報表示装置（全体を符号１で示す。）のシステム構成を示している。この活動量関連情報表示装置１は、活動量計１００と、スマートフォン２００とを含んでいる。活動量計１００とスマートフォン２００とは、この例ではＢＬＥ（Bluetooth low energy；低消費電力Bluetooth）通信によって互いに通信可能になっている。
【００３１】
図２に示すように、活動量計１００は、ケーシング１００Ｍと、このケーシング１００Ｍに搭載された、制御部１１０と、発振部１１１と、加速度センサ１１２と、メモリ１２０と、操作部１３０と、表示部１４０と、ＢＬＥ通信部１８０と、電源部１９０と、リセット部１９９とを含む。
【００３２】
ケーシング１００Ｍは、この活動量計１００を携帯し易いように、ヒトの手のひらに収まる程度の大きさに形成されている。
【００３３】
発振部１１１は、水晶振動子を含み、この活動量計１００の動作タイミングの基準となるクロック信号を発生する。
【００３４】
加速度センサ１１２は、ケーシング１００Ｍが受ける３軸（３方向）の加速度をそれぞれ検出して、制御部１１０へ出力する。
【００３５】
メモリ１２０は、ＲＯＭ（Read Only Memory）とＲＡＭ（Random Access Memory）とを含む。ＲＯＭは、この活動量計１００を制御するためのプログラムのデータを記憶する。また、ＲＡＭは、この活動量計１００の各種機能を設定するための設定データ、加速度測定結果および演算結果のデータなどを記憶する。
【００３６】
制御部１１０は、上記クロック信号に基づいて動作するＣＰＵ（Central Processing Unit；中央演算処理装置）を含み、メモリ１２０に記憶された活動量計１００を制御するためのプログラムに従って、加速度センサ１１２からの検知信号に基づいて、この活動量計１００の各部（メモリ１２０、表示部１４０およびＢＬＥ通信部１８０を含む。）を制御する。
【００３７】
操作部１３０は、この例ではボタンスイッチからなり、電源オン・オフ切り替えの操作、表示内容切り替えの操作、被測定者の性別・体重の入力など、適宜の操作入力を受け付ける。
【００３８】
表示部１４０は、この例ではＬＣＤ（液晶表示素子）または有機ＥＬ（エレクトロルミネッセンス）ディスプレイからなる表示画面を含み、この表示画面に制御部１１０から受けた信号に従って所定の情報を表示する。
【００３９】
電源部１９０は、この例では充電池からなり、この活動量計１００の各部へ電力を供給する。
【００４０】
ＢＬＥ通信部１８０は、スマートフォン２００との間で通信を行う。例えば、スマートフォン２００へ測定結果を表す情報などを送信する。また、スマートフォン２００から操作指示を受信する。
【００４１】
リセット部１９９は、この例では操作部１３０を通した入力に応じて、制御部１１０の動作やメモリ１２０の記憶内容をリセットして初期化する。
【００４２】
図３に示すように、スマートフォン２００は、本体２００Ｍと、この本体２００Ｍに搭載された、制御部２１０と、メモリ２２０と、操作部２３０と、表示部２４０と、ＢＬＥ通信部２８０と、ネットワーク通信部２９０とを含む。このスマートフォン２００は、市販のスマートフォンに、活動量に関する情報の表示を行わせるようにアプリケーションソフトウェア（以下「活動量関連情報表示プログラム」と呼ぶ。）をインストールしたものである。
【００４３】
制御部２１０は、ＣＰＵおよびその補助回路を含み、スマートフォン２００の各部を制御し、メモリ２２０に記憶されたプログラムおよびデータに従って処理を実行する。すなわち、操作部２３０、および、通信部２８０，２９０から入力されたデータを処理し、処理したデータを、メモリ２２０に記憶させたり、表示部２４０で表示させたり、通信部２８０，２９０から出力させたりする。
【００４４】
メモリ２２０は、制御部２１０でプログラムを実行するために必要な作業領域として用いられるＲＡＭと、制御部２１０で実行するための基本的なプログラムを記憶するためのＲＯＭとを含む。また、メモリ２２０の記憶領域を補助するための補助記憶装置の記憶媒体として、半導体メモリ（メモリカード、ＳＳＤ（Solid State Drive））などが用いられてもよい。この例では、メモリ２２０は、画像記憶部として、後述の第２の表示例で表示部２４０に表示すべき後述の複数の候補画像を予め記憶している。
【００４５】
操作部２３０は、この例では、表示部２４０上に設けられたタッチパネルからなっている。なお、キーボードその他のハードウェア操作デバイスを含んでいても良い。
【００４６】
表示部２４０は、表示画面（例えばＬＣＤまたは有機ＥＬディスプレイからなる）を含む。表示部２４０は、制御部２１０によって制御されて、所定の画像を表示画面に表示させる。
【００４７】
ＢＬＥ通信部２８０は、活動量計１００との間で通信を行う。例えば、活動量計１００へ操作指示を送信する。また、活動量計１００から測定結果を表す情報などを受信する。
【００４８】
ネットワーク通信部２９０は、制御部２１０からの情報をネットワーク９００を介して他の装置へ送信するとともに、他の装置からネットワーク９００を介して送信されてきた情報を受信して制御部２１０に受け渡すことができる。
【００４９】
例えば図４に示すように、この活動量関連情報表示装置１が例えばユーザとしての被測定者９０によって使用される場合、活動量計１００が装着クリップ１００Ｃ（図１中に示す）によって被測定者９０の例えば胸に装着される。この結果、被測定者９０の運動は、加速度センサ１１２の出力となる。
【００５０】
測定を行う場合、被測定者９０は、活動量計１００の電源をオンして、活動量計１００へ測定スタートを指示する。そして、被測定者９０は、１日または複数日の活動を行う。
【００５１】
すると、活動量計１００の制御部１１０は、加速度センサ１１２の出力を受けて、被測定者の活動による単位時間Δｔ（この例では、Δｔ＝１０分間とする。）毎の運動強度（単位［ＭＥＴｓ］）、活動量（単位［Ｅｘ］）および消費カロリ（単位［ｋｃａｌ］）を算出する（単位時間Δｔ内に運動強度等が変化する場合は、その単位時間Δｔ内の平均値を算出する。）。ここで、
ｉ）  運動強度（単位［ＭＥＴｓ］）は、安静時に対して運動の強さが何倍に相当するかを表す量である。
ii）  活動量（単位［Ｅｘ］）は、運動強度［ＭＥＴｓ］にその運動を行った時間（単位［ｈ］；hour）を乗じた量である。すなわち、［Ｅｘ］＝［ＭＥＴｓ・ｈ］となる。
iii)  消費カロリ（単位［ｋｃａｌ］。活動量［Ｅｘ］に生体の体重［ｋｇ］を乗じたものである。すなわち、消費カロリ［ｋｃａｌ］＝活動量［Ｅｘ］×体重［ｋｇ］として算出される。なお、被測定者９０の体重は、操作部１３０を通して予め入力され、メモリ１２０に記憶されているものとする。
【００５２】
算出された単位時間Δｔ毎の運動強度（単位［ＭＥＴｓ］）、活動量（単位［Ｅｘ］）および消費カロリ（単位［ｋｃａｌ］）を表すデータ（値情報）は、逐次、メモリ１２０に記憶され、蓄積される。
【００５３】
活動量計１００がオンしている間に、被測定者９０がスマートフォン２００の活動量関連情報表示プログラムを起動すると、スマートフォン２００の制御部２１０は、値情報取得部として働いて、ＢＬＥ通信部２８０を介して、活動量計１００（ＢＬＥ通信部１８０を介して）からの単位時間Δｔ毎の運動強度（単位［ＭＥＴｓ］）、活動量（単位［Ｅｘ］）および消費カロリ（単位［ｋｃａｌ］）を表すデータを受信する。受信したデータは、メモリ２２０に記憶される。
【００５４】
なお、スマートフォン２００の活動量関連情報表示プログラムを起動した状態で、被測定者９０がスマートフォン２００の操作部２３０を介して体重を入力してもよい。または、他の装置に被測定者９０の体重を表す情報がある場合は、ネットワーク９００およびネットワーク通信部２９０を介して、スマートフォン２００の制御部２１０がその体重を表す情報を受信してもよい。そして、スマートフォン２００の制御部２１０が消費カロリ［ｋｃａｌ］を算出してもよい。
【００５５】
（第１の表示例）
被測定者９０がスマートフォン２００の操作部２３０を介して、活動量関連情報表示プログラムにおける例えば「１日における単位時間毎の運動強度」のモードを選択すると、制御部２１０が第１の表示処理部として働いて、上記データを用いて、図５、図６に示すような画像を作成して、表示部２４０の表示画面７０に表示させる。
【００５６】
図５は、操作日（本日）よりも前の日（１日分）のデータを用いて作成されたグラフを含む画像を例示している。表示画面７０の上部中央には、その日の日付（この例では２０１３／１１／２０（２０１３年１１月２０日））を示す日付欄７１が設けられている。また、表示画面７０の上部左側には、予め被測定者によって設定された１週間（この例では、日曜日から始まり、２０１３年１１月２０日を含む７日間）の活動量の目標値を示すアクティブレベル欄７２が設けられている。このアクティブレベル欄７２の活動量目標値（この例では２３［Ｅｘ］）は、ユーザが、予めスマートフォン２００のメモリ２２０に、操作部２３０を介して入力して設定したものである。
【００５７】
また、表示画面７０の中央には、１日における単位時間毎の運動強度を示すグラフ７３が表示されている。この例では、表示画面７０上に、１日に対応する円７４が設定されるとともに、この円７４の周りで時計回りに１日における単位時間Δｔ（この例ではΔｔ＝１０分間）の経過を表す時間目盛７５，７５，…が設定されている。各時間目盛７５は、円７４の周りで径方向外向きに延びる棒状で、径方向に関して３つのセグメントＳｇ１，Ｓｇ２，Ｓｇ３に区分されている。各セグメントＳｇ１，Ｓｇ２，Ｓｇ３は、この例では破線の略矩形の枠のように表されている。円７４の上端部７４ａ、右端部７４ｂ、下端部７４ｃ、左端部７４ｄには、それぞれ数字で「０」時、「６」時、「１２」時、「１８」時が表示されている。
【００５８】
円７４の中央部７４ｅには、対象期間としてのこの１日分の活動量目標値に対する達成度（この例では１４０％）が数値で表示されている。この１日分の活動量目標値とは、制御部２１０が目標値設定部として働いて、アクティブレベル欄７２の活動量目標値２３［Ｅｘ］を１週間の日数７で除算（日数で換算）して、３．３［Ｅｘ］として設定したものである（なお、活動量の有効数字を２桁とする。以下同様。）。そして、上記受信したデータに基づいて、制御部２１０が達成度取得部として働いて、この１日分の活動量目標値に対する達成度を算出し、制御部２１０がデジタル表示処理部として働いて、その算出した達成度を表示している。
【００５９】
グラフ７３は、この例では値情報としての運動強度（単位［ＭＥＴｓ］）を、円の周りで径方向外向きに延び、かつ単位時間（この例では１０分間）毎に運動強度が表す値に応じた複数段階（この例では５段階）の長さをもつ棒７６，７６，…の集合として表示している。
【００６０】
図７は、グラフ７３の表記の仕方を説明するために、グラフ７３の一部（円７４の左下の１５時頃に相当する部分）を拡大して示している。図７において、単位時間Δｔの経過は、Δｔに数字を付して、Δｔ１，Δｔ２，Δｔ３，Δｔ４，…として表されている。既に経過した単位時間Δｔ１，Δｔ２，Δｔ３，Δｔ４については、時間目盛７５、つまり３つのセグメントＳｇ１，Ｓｇ２，Ｓｇ３が、略矩形状の実線または破線の枠の態様で表示されている（破線の枠は、後述のように、棒７６の長さが達していないことを示している。）。未経過の単位時間Δｔ５については、時間目盛７５（３つのセグメントを示す略矩形状の枠）は、表示されていない。
【００６１】
また、図７において、運動強度を表す棒７６は、単位時間Δｔ１，Δｔ２，Δｔ３，Δｔ４毎に枝番を付して、個々に７６−１，７６−２，７６−３，７６−４として特定されている。各棒７６（７６−１〜７６−４のうちのいずれかを指す。）は、上述のように、径方向に、運動強度が表す値に応じた複数段階（この例では５段階）の長さＬ１，Ｌ２，Ｌ３，Ｌ４，Ｌ５をとり得る。この例では、各棒７６は、径方向（運動強度）に関して、段階毎のセグメントＳｇ１，Ｓｇ２，Ｓｇ３，Ｓｇ４，Ｓｇ５に区分されている。各棒７６の下位３段階（第１段階〜第３段階）のセグメントＳｇ１，Ｓｇ２，Ｓｇ３の形状は、時間目盛７５の３つのセグメントＳｇ１，Ｓｇ２，Ｓｇ３の形状とそれぞれ一致している（簡単のため、棒７６のセグメントと時間目盛７５のセグメントとに共通の符号を用いている。）。各棒７６の上位２段階（第４段階と第５段階）のセグメントＳｇ４，Ｓｇ５の形状は、セグメントＳｇ１，Ｓｇ２，Ｓｇ３と実質的に同じ略矩形状の実線の枠を、径方向外向きに追加したものに相当する。
【００６２】
この例では、運動強度の５段階は、下の表１に示すルールに従って区分されている。すなわち、運動強度の第１段階は、０ＭＥＴｓ〜２．９ＭＥＴｓの範囲内を指し、運動の態様としては安静または略安静の状態が想定されている。第２段階は、３．０ＭＥＴｓ〜４．２ＭＥＴｓの範囲内を指し、運動の態様としては歩行が想定されている。第３段階は、４．３ＭＥＴｓ〜６．９ＭＥＴｓの範囲内を指し、運動の態様としては早歩きが想定されている。第４段階は、７．０ＭＥＴｓ〜７．９ＭＥＴｓの範囲内を指し、運動の態様としてはジョグ（ジョギング）が想定されている。第５段階は、８．０ＭＥＴｓ以上を指し、運動の態様としては階段上り（階段を上る運動）が想定されている。
（表１）
2015123228.tif 000003
（表１中のＭＥＴｓの有効数字は２桁である。）
【００６３】
この例では、各棒７６のセグメントＳｇ１，Ｓｇ２，Ｓｇ３，Ｓｇ４，Ｓｇ５に、表１の右欄に示すルールに従って色が付される。すなわち、第１段階、第２段階のセグメントＳｇ１，Ｓｇ２には、それぞれ緑色が付される。緑色は、運動強度が比較的少なく落ち着いた状態を連想させるからである。第３段階のセグメントＳｇ３には、青色が付される。第４段階のセグメントＳｇ４には、紫色が付される。第５段階のセグメントＳｇ４には、ピンク色が付される。このように、この例では、第３段階ないし第５段階のセグメントＳｇ３，Ｓｇ４，Ｓｇ５については、段階が高くなるにつれて順に色温度が高い色が付される。以下、理解の容易のために、色が付された棒を「色付き棒」と呼ぶ。
【００６４】
なお、５段階のセグメントＳｇ１，Ｓｇ２，Ｓｇ３，Ｓｇ４，Ｓｇ５の全部にわたって、段階が高くなるにつれて順に色温度が高い色を付してもよい。
【００６５】
図７の例では、単位時間Δｔ１の色付き棒７６−１は、長さがＬ１であり、運動強度が第１段階であったことを表している。この色付き棒７６−１のセグメントＳｇ１には、緑色が付されている。一方、単位時間Δｔ１のところのセグメントＳｇ２，Ｓｇ３には、色付き棒７６−１の長さが達していないのに応じて、この例では略矩形状の破線の枠のみが表示され、その枠内は白色（図５中の表示画面７０の背景７９の色と同じ）になっている。単位時間Δｔ２の色付き棒７６−２は、長さがＬ４であり、運動強度が第４段階であったことを表している。この棒７６−２のセグメントＳｇ１，Ｓｇ２，Ｓｇ３，Ｓｇ４には、それぞれ緑色、緑色、青色、紫色が付されている。単位時間Δｔ３の色付き棒７６−３は、長さがＬ５であり、運動強度が第５段階であったことを表している。この棒７６−３のセグメントＳｇ１，Ｓｇ２，Ｓｇ３，Ｓｇ４には、それぞれ順に緑色、緑色、青色、紫色、ピンク色が付されている。また、単位時間Δｔ４の色付き棒７６−４は、単位時間Δｔ２の色付き棒７６−２と同じ表示になっている。
【００６６】
このように、この例では、或る単位時間Δｔについて被測定者９０が弱い運動をした結果、運動強度が表す値が小さければ、短いい色付き棒７６が表示される。一方、別の単位時間Δｔについて被測定者９０が強い運動をした結果、運動強度が表す値が大きければ、長い色付き棒７６が表示される。これにより、ユーザは、被測定者の１日における単位時間毎の活動量に関する情報として、単位時間毎の運動強度を直感的に知ることができる。
【００６７】
特に、この例では、或る単位時間Δｔについて被測定者９０が弱い運動をした結果、運動強度が表す値が小さければ、棒７６の長さが短く、セグメント数が少なくなるととともに、セグメントに付される色温度は低いもののみとなる。一方、別の単位時間について被測定者９０が強い運動をした結果、値情報が表す値が大きければ、棒７６の長さが長く、セグメント数が多くなるととともに、高い段階のセグメントに色温度が高い色が付される。この「色温度」は、ユーザに被測定者９０の運動強度や運動によるエネルギ消費の程度を連想させる。したがって、ユーザは、被測定者９０の単位時間毎の運動強度をさらに直感的に知ることができる。
【００６８】
また、この例では、表示画面７０上に、１日に対応する円７４（円弧ではなく）が設定されている。円７４の上端部７４ａ、右端部７４ｂ、下端部７４ｃ、左端部７４ｄには、それぞれ数字で「０」時、「６」時、「１２」時、「１８」時が表示されている。したがって、時間目盛７５はアナログ式２４時間時計の目盛のように見える。したがって、ユーザは、表示画面７０上に表示された運動強度が、１日分の情報であることを直感的に知ることができる。
【００６９】
なお、表示画面７０上に、円７４に代えて、１日に対応する円弧を設定し、その円弧の周りに時間目盛７５と、径方向外向きに延び、かつ単位時間毎に運動強度が表す値に応じた複数段階の長さをもつ棒７６，７６，…を表示してもよい。
【００７０】
図６は、操作日（本日。この例では２０１３年１１月２１日）とその前日（この例では２０１３年１１月２０日）のデータを用いて作成された「１日における単位時間毎の運動強度」のグラフを含む画像を例示している。図６では、図５中の要素と同じ要素については、同じ符号を付している。これにより、重複した説明を省略する。図６では、操作日（本日）のデータを用いていることから、円７４の上部７４ａと中央部７４ｅとの間の部分７４ｆに「Ｔｏｄａｙ」（本日）と表示されている。また、この例では、時間目盛７５（３つのセグメントを示す略矩形状の枠）は、０時から現在時刻１５：３０（時間目盛７５Ｐ）までが表示されている。
【００７１】
この例では、表示画面７０上で、前日のグラフ７３（図５中で実線の枠が付された部分）が灰色化されて背景グラフ７８として用いられている。この背景グラフ７８の上に重ねて、本日のグラフ７３′が表１を用いて説明したルール（各棒７６の長さおよび色についての）に従って上書きして表示されている。つまり、本日のグラフ７３′は、背景グラフ７８の色（灰色）とは異なる色で表示されている。
【００７２】
この結果、被測定者９０の前日の単位時間毎の運動強度に対して本日の単位時間毎の運動強度が小さいとき、本日のグラフ７３′の径方向外側に灰色の背景グラフ７８が露出する。したがって、被測定者９０の前日の単位時間毎の運動強度に対して本日の単位時間毎の運動強度が小さいとき、ユーザはそのことを直感的に知ることができる。この結果、例えば、ユーザが、被測定者９０により強い運動をするように促すことが容易になる。
【００７３】
また、円７４の中央部７４ｅには、図５の場合と同様の仕方で、本日についての１日分の活動量目標値に対する現在時刻１５：３０までの達成度（この例では７５．０％）が数値で表示されている。したがって、ユーザは、この数値（％単位の表示）を見ることで、１日分の活動量目標値に対する本日の達成度を、正確に知ることができる。この結果、例えば、ユーザが、被測定者９０により強い運動をするように促すことが容易になる。
【００７４】
上の例では、上記アクティブレベル欄７２の活動量目標値は、ユーザが、予めスマートフォン２００のメモリ２２０に、操作部２３０を介して入力して設定したものとした。しかしながら、これに限られるものではなく、例えば制御部２１０が目標値設定部として働いて、本日よりも前の過去の１週間（例えば前週）について、被測定者９０の活動量の実績値を取得して、その実績値に基づいて設定してもよい。例えば、前週について、被測定者９０の活動量の実績値が２８Ｅｘであれば、今週についての上記アクティブレベル欄７２の活動量目標値を、前週の実績値２８Ｅｘに等しく設定してもよい。この場合、１日分の活動量目標値は、アクティブレベル欄７２の活動量目標値２８［Ｅｘ］を１週間の日数７で除算（日数で換算）して、４．０［Ｅｘ］として設定される。この結果、ユーザは、円７４の中央部７４ｅの数値（％単位の表示）を見ることで、前週の実績値に基づく１日分の活動量目標値に対する本日の達成度を、正確に知ることができる。
【００７５】
なお、当業者ならば分かるように、「１日における単位時間毎の運動強度」に限られず、図５、図６と同様の態様で、被測定者９０の１日における単位時間毎の活動量に関する情報として、「１日における単位時間毎の活動量」、「１日における単位時間毎の消費カロリ」を表示することもできる。
【００７６】
（第２の表示例）
被測定者９０がスマートフォン２００の操作部２３０を介して、活動量関連情報表示プログラムにおける例えば「１週間における活動量の達成度」モードを選択すると、まず、制御部２１０が達成度取得部として働いて、被測定者９０の１週間にわたる活動量の予め定められた目標値に対する達成度（単位は％とする。適宜「活動量達成度」と呼ぶ。）を取得する。この例では、上記目標値は、ユーザが、予めスマートフォン２００のメモリ２２０に、操作部２３０を介して入力して設定したものである。
【００７７】
具体的には、図１１のステップＳ１に示すように、スマートフォン２００の制御部２１０は、活動量計１００から被測定者９０の１週間にわたる活動量（累積値）を表す値情報を入力する。続いて、ステップＳ２に示すように、その入力した値情報が表す活動量を、上記目標値（１週間の活動量の目標値）で除算する。これにより、活動量達成度を算出して取得する。
【００７８】
この例では、スマートフォン２００のメモリ２２０に、図８（Ａ），（Ｂ）、図９（Ａ），（Ｂ）中にそれぞれ例示するような複数の候補画像８０Ａ，８０Ｂ，８０Ｃ，８０Ｄ，…が記憶されている。図１０（図９（Ａ）に対応する）中に模式的に示すように、それらの候補画像は、暗色（この例では黒色）の円８４と、この円８４の周りを環状に取り囲む白色（または昼光色）の環状領域８５と、この環状領域８５の周りの暗色（この例では黒色）の背景領域８９とを含んでいる。各候補画像の環状領域８５の径方向寸法（Ｒ方向の高さ）Ｈは、図８（Ａ），（Ｂ）、図９（Ａ），（Ｂ）に示すように、それぞれの候補画像８０Ａ，８０Ｂ，８０Ｃ，８０Ｄが表すべき活動量達成度（この例では、１．５％、３０．５％、７０．５％、１００％）に応じて可変され、順次大きくなっている。環状領域８５の明度は、太陽コロナのように、径方向外向きに向かって次第に低下して、背景領域８９の明度に連続的に連なっている。また、図１０中に模式的に示すように、環状領域８５の径方向寸法Ｈは、太陽コロナのように、円８４の周りに関して揺らぎ８５ａを有している。
【００７９】
図８〜図９では、簡単のため４つの候補画像８０Ａ，８０Ｂ，８０Ｃ，８０Ｄのみを示しているが、この例では、環状領域８５の径方向寸法Ｈが順次大きくなっている１１個の候補画像が用意され、メモリ２２０に記憶されている。次に述べるように、それらの１１個の候補画像は、取得された活動量達成度（図１１のステップＳ２）がそれぞれ０％〜１０％、１０％〜２０％、２０％〜３０％、３０％〜４０％、４０％〜５０％、５０％〜６０％、６０％〜７０％、７０％〜８０％、８０％〜９０％、９０％〜１００％、１００％超のときに選択される。
【００８０】
図１１のステップＳ３では、スマートフォン２００の制御部２１０が画像選択部として働いて、複数（この例では１１個）の候補画像８０Ａ，８０Ｂ，８０Ｃ，８０Ｄ，…のうち、ステップＳ２で取得された活動量達成度に対応する候補画像を選択する。
【００８１】
続いて、図１１のステップＳ４では、制御部２１０は第２の表示処理部として働いて、ステップＳ３で選択された候補画像を用いて、図８（Ａ），（Ｂ）、図９（Ａ），（Ｂ）に示すように、表示画面７０上に表示すべき画像を作成して表示する。
【００８２】
その画像では、図１０中に模式的に示すように、選択された候補画像に対して、表示画面７０の上部中央の日付欄７１において、表示の対象となった１週間の日付（この例では２０１３／１０／２０−１０／２６（２０１３年１０月２０日から２０１３年１０月２６日まで））が上書きされている。また、表示画面７０の上部左側のアクティブレベル欄７２において、その１週間の活動量の目標値（この例では、２４Ｅｘ）を示す表示が上書きされている。また、円８４の中央部８４ｅにおいて、その１週間の活動量達成度（図１０の例では７０．５％）の値が％単位で上書きされている。また、円８４の上端部８４ａと中央部８４ｅとの間の部分８４ｆに、表示の対象となる期間（対象期間）が１週間であることを示す文字列「Ｗｅｅｋ」が上書きされている。
【００８３】
上述のようにして表示画面７０上に画像を表示した場合、例えば、或る１週間について活動量達成度が小さければ、環状領域８５の径方向寸法Ｈは小さくなる。別の１週間について活動量達成度が大きければ、環状領域８５の径方向寸法Ｈは大きくなる。しかも、環状領域８５の明度は、径方向外向きに向かって次第に低下して、背景領域８９の明度に連続的に連なる。また、環状領域８５の径方向寸法Ｈは、円８４の周りに関して揺らぎ８５ａを有している。したがって、表示画面７０上に表示される環状領域８５は、太陽コロナのように見える。すなわち、或る１週間について被測定者９０が弱い運動をした結果、活動量達成度が小さければ、太陽が弱く燃えているように見える。別の１週間について被測定者９０が強い運動をした結果、活動量達成度が大きければ、太陽が強く燃えているように見える。この太陽の燃え方の強弱は、ユーザに被測定者９０の運動によるエネルギ消費の程度を連想させる。これにより、ユーザは、被測定者９０の活動量達成度を、直感的に知ることができる。また、円８４の中央部８４ｅには、その１週間の活動量達成度が数値で表示されているので、ユーザは、被測定者９０の活動量達成度を、正確に知ることができる。
【００８４】
上の例では、アクティブレベル欄７２の活動量目標値は、ユーザが、予めスマートフォン２００のメモリ２２０に、操作部２３０を介して入力して設定したものとした。しかしながら、これに限られるものではなく、例えば制御部２１０が目標値設定部として働いて、上記１週間よりも前の過去の１週間（例えば前週）について、被測定者９０の活動量の実績値を取得して、その実績値に基づいて今週の目標値を設定してもよい。例えば、前週について、被測定者９０の活動量の実績値が２８Ｅｘであれば、今週の目標値を、前週の実績値と等しく２８Ｅｘに設定してもよい。また、被測定者９０がより強い運動をするように、活動量目標値を、実績値２８Ｅｘの例えば＋１０％（約３１Ｅｘ）というように、その実績値よりも大きい目標値を設定してもよい。そのようにした場合、ユーザは、表示画面７０上に表示される環状領域８５を見ることで、前週の実績値に基づく活動量目標値に対する今週の達成度を、直感的に知ることができる。また、ユーザは、円８４の中央部８４ｅの数値を見ることで、前週の実績値に基づく活動量目標値に対する今週の達成度を、正確に知ることができる。
【００８５】
この第２の表示例では、表示の対象となる対象期間は１週間であるとしたが、これに限られるものではない。対象期間は、例えば１日、１ヶ月、または１年間であってもよい。また、目標値を設定するための基準となる過去の期間も、例えば１日、１ヶ月、または１年間であってもよい。また、上記対象期間の長さと上記過去の期間の長さとが異なっていてもよい。その場合は、上記過去の期間の実績値を日数で換算して、上記対象期間の長さに応じて上記対象期間の目標値を算出してもよい。
【００８６】
また、この第２の表示例では、活動量に関する情報として、活動量の目標値に対する達成度を表示したが、これに限られるものではない。活動量に関する情報として、運動強度や消費カロリの目標値に対する達成度を、太陽コロナのように表示してもよい。その場合、スマートフォン２００のメモリ２２０に、予め操作部２３０を介して、運動強度や消費カロリの目標値を記憶させておく。
【００８７】
また、この第２の表示例では、スマートフォン２００において、活動量関連の目標値に対する達成度を算出したが、これに限られるものではない。活動量計１００において、活動量関連の目標値に対する達成度を算出し、算出された達成度を表す情報をスマートフォン２００へ送信するようにしてもよい。その場合、活動量計１００のメモリ１２０に、運動強度、活動量および消費カロリの目標値を記憶させておく。
【００８８】
また、この実施形態では、活動量計１００とスマートフォン２００とは、ＢＬＥ通信によって互いに通信を行ったが、これに限られるものではない。例えば、活動量計１００とスマートフォン２００とは、ＮＦＣ（Near Field Communication；近距離無線通信）によって、スマートフォン２００と活動量計１００とが互いに接近したときに通信を行うようにしてもよい。
【００８９】
また、この実施形態では、本発明の活動量関連情報表示装置を、活動量計１００とスマートフォン２００とを含むシステムとして構成したが、これに限られるものではない。
【００９０】
例えば、本発明の活動量関連情報表示装置を、スマートフォン２００のみで構成しても良い。その場合、スマートフォン２００が加速度センサを含むものとする。また、スマートフォン２００のメモリ２２０に記憶されたアプリケーションソフトウェアには、制御部２１０に、単位時間毎の運動強度、活動量および消費カロリを算出するプログラム、並びに、これらの値の目標値に対する達成度を算出するプログラムを含めておく。これにより、本発明の活動量関連情報表示装置を小型かつコンパクトに構成することができる。
【００９１】
上述の実施形態は例示に過ぎず、この発明の範囲から逸脱することなく種々の変形が可能である。
【符号の説明】
【００９２】
１  活動量関連情報表示装置
７０  表示画面
７３，７３′  グラフ
７４，８４  円
７５  時間目盛
７６  棒
７８  背景グラフ
８０Ａ，８０Ｂ，８０Ｃ，８０Ｄ  候補画像
８５  環状領域
８９  背景領域
１００  活動量計
２００  スマートフォン
【図１】
2015123228.tif 000004
【図２】
2015123228.tif 000005
【図３】
2015123228.tif 000006
【図４】
2015123228.tif 000007
【図５】
2015123228.tif 000008
【図６】
2015123228.tif 000009
【図７】
2015123228.tif 000010
【図８】
2015123228.tif 000011
【図９】
2015123228.tif 000012
【図１０】
2015123228.tif 000013
【図１１】
2015123228.tif 000014